(57)【要約】 【課題】ブリッジを確実に崩して遊技媒体を安定して供給することができる遊技媒体供給装置を提供する。【解決手段】遊技媒体収集容器１の底面１１に形成した送出孔１２からその下方のシュート１３に遊技媒体を送出するための遊技媒体供給装置において、遊技媒体収集容器１の上部に、モータ軸２２を下向きとしてモータ２１を設ける。モータ軸２２には、撹拌部材３の回転軸３１を支持して撹拌部材３を公転させるための支持アーム４と、サンギア５とを取り付けるとともに、撹拌部材３の回転軸３１には、サンギア５と噛合して撹拌部材３を自転させるためのプラネタリギア６を取り付けて、撹拌部材３をモータ軸２２を中心に公転させながら自転させる。【選択図】図１
2009028382.tif 000002
【特許請求の範囲】
【請求項１】
遊技媒体収集容器の底面に形成した送出孔から、その下方のシュートに遊技媒体を送出するための遊技媒体供給装置であって、
遊技媒体収集容器の上部に、モータ軸を下向きとしてモータを設け、
前記モータ軸に、モータ軸を中心に公転しながら自転する撹拌部材を取り付けたことを特徴とする遊技媒体供給装置。
【請求項２】
モータ軸に、撹拌部材を支持して公転させるための支持アームと、サンギアとを取り付けるとともに、
撹拌部材には、その回転軸にサンギアと噛合して撹拌部材を自転させるためのプラネタリギアを取り付けた請求項１に記載の遊技媒体供給装置。
【請求項３】
撹拌部材の先端を底面の送出孔に臨ませた請求項１又は２に記載の遊技媒体供給装置。
【請求項４】
撹拌部材を、コイルバネ形状のものとした請求項１〜３の何れかに記載の遊技媒体供給装置。
【請求項５】
撹拌部材を、分枝を有する棒状のものとした請求項１〜３の何れかに記載の遊技媒体供給装置。
【発明の詳細な説明】
【技術分野】
【０００１】
本発明は、遊技媒体収集容器内に集められた遊技媒体を底面の送出孔を通して下方のシュートに送出するための遊技媒体供給装置に関するものである。
【背景技術】
【０００２】
スロットマシンやパチンコ機などからなる遊技機設置島として、図５に示すような、その一側にメダルやパチンコ球などの遊技媒体を研磨して揚送するための研磨揚送装置５０を備えたものが知られている。図示の研磨揚送装置５０は上部に遊技媒体供給装置５１を備えている。遊技媒体供給装置５１は、遊技媒体収集容器に集められた遊技媒体を、遊技媒体収集容器の底部に形成した送出孔からその下方のシュートに送出するように構成されている。シュートに送り込まれた遊技媒体は遊技機に供給される。
【０００３】
しかしながら、このような構造の遊技媒体供給装置５１においては、送出孔の上方に多数の遊技媒体が重なったりする、いわゆるブリッジが形成されて、遊技媒体が下方に落下できなくなるという問題があった。このような問題を解決する従来の遊技媒体供給装置として、特許文献１〜３には遊技媒体の崩し装置等を備えたものが開示されている。
【０００４】
従来の遊技媒体供給装置の例を図６に示す。この遊技媒体供給装置においては、遊技媒体収集容器１の底面１１に送出孔１２が形成され、この送出孔１２にシュート１３が接続されている。遊技媒体収集容器１は遊技媒体の撹拌装置２を備えている。撹拌装置２は、モータ２１と、モータ軸２２に回転可能に接続された撹拌部材３とからなる。撹拌部材３はモータ２１により回転されて、形成されたブリッジを崩すことができる。
【０００５】
しかしながら、このような撹拌装置２を備えた場合であっても、遊技媒体収集容器１が大きくなって遊技媒体が多重に積み重なったような場合には、撹拌部材３の周辺のみが崩されて、ブリッジ全体を完全に崩すまでには至らなかった。そのため従来の遊技媒体供給装置においては、遊技媒体を安定して供給することができないという問題があった。
【特許文献１】特開平０５−４２２５２号公報
【特許文献２】特開平０６−３２７８３３号公報
【特許文献３】特開２００２−８５７９３号公報
【発明の開示】
【発明が解決しようとする課題】
【０００６】
本発明は、上記した従来の問題点に鑑み、ブリッジを確実に崩して遊技媒体を安定して供給することができる遊技媒体供給装置を提供することを課題とする。
【課題を解決するための手段】
【０００７】
上記の課題を解決するためになされた本発明の遊技媒体供給装置は、遊技媒体収集容器の底面に形成した送出孔からその下方のシュートに遊技媒体を送出するための遊技媒体供給装置であって、
遊技媒体収集容器の上部に、モータ軸を下向きとしてモータを設け、
前記モータ軸に、モータ軸を中心に公転しながら自転する撹拌部材を取り付けたことを特徴とするものである。
【０００８】
上記した発明において、モータ軸に、撹拌部材を支持して公転させるための支持アームと、サンギアとを取り付けるとともに、
撹拌部材には、その回転軸にサンギアと噛合して撹拌部材を自転させるためのプラネタリギアを取り付けることができる。
【０００９】
また、上記した発明において、撹拌部材の先端を底面の送出孔に臨ませることができ、撹拌部材を、コイルバネ形状のものとすることができ、また、撹拌部材を、分枝を有する棒状のものとすることができる。
【発明の効果】
【００１０】
請求項１に係る発明は、撹拌部材をモータ軸を中心に公転しながら自転するものとしたので、従来の撹拌装置よりも広範囲に遊技媒体収集容器内を撹拌することができて、ブリッジを確実に崩すことができる。
請求項２に係る発明は、モータ軸に取り付けた支持アームにより撹拌部材を公転させるとともに、サンギアに噛合するプラネタリギアにより撹拌部材を自転させることができる。
請求項３に係る発明は、撹拌部材の先端を底面の送出孔に臨ませたので、送出孔の入り口で遊技媒体が詰まることがない。
請求項４に係る発明は、撹拌部材をコイルバネ形状のものとしたので、効果的に遊技媒体を撹拌することができる。
請求項５に係る発明は、撹拌部材を分枝を有する棒状のものとしたので、より効果的に遊技媒体を撹拌することができる。
【発明を実施するための最良の形態】
【００１１】
以下に本発明の実施形態を、図面に基づき説明する。
図１〜３は、本発明の第１の実施形態である遊技媒体供給装置を示す図であって、既記したように、１は遊技媒体収集容器、２は遊技媒体の撹拌装置である。遊技媒体収集容器１は、天井面１４と、側面１５と、中央に向けて低く傾斜する底面１１とからなる。底面１１の中央には、遊技媒体の送出孔１２が設けられ、これにシュート１３が接続されている。
【００１２】
天井面１４には、モータ軸２２を下向きとしたモータ２１が配設されている。モータ軸２２には、撹拌部材３を軸受け部４１で支承するための支持アーム４が螺着されている。撹拌部材３は、自転用の回転軸３１の下端に装着されており、この回転軸３１が軸受け部４１に回転可能に支承されることによって、撹拌部材３は支持アーム４に取り付けられている。これによって撹拌部材３は、モータ軸２２を中心に公転することができる。
【００１３】
また、モータ軸２２には、サンギア５が図示しないネジによって螺着されている。一方、回転軸３１の上端には、サンギア５と噛合するプラネタリギア６が螺着されているので、これによって、撹拌部材３は回転軸３１を中心に自転することができる。すなわち、モータ２１の駆動によりモータ軸２２に取り付けられた支持アーム４とサンギア５とが同時に回転するとともに、サンギア５はプラネタリギア６を回転させるので、撹拌部材３はモータ軸２２を中心に公転しながら自転することができる。公転一回につき撹拌部材３は、サンギア５とプラネタリギアのギア比の回数自転することとなる。
【００１４】
撹拌部材３は、図示のようにコイルバネ形状としてあるので、ブリッジが形成された場合にもコイルの間に遊技媒体を滑り込ませて、効果的にこのブリッジを崩すことができる。撹拌部材３は、金属製、合成樹脂製のものとすることができるが、コイルバネのように弾力を有するものを用いた場合には、撹拌部材３の中央部や先端部のブレにより、効果的にブリッジを崩すことができる。なお、図示のものにおいて撹拌部材３の先端は、送出孔１２に臨んでシュート１３の内部にまで入り込んでいるので、送出孔１２入口で遊技媒体が詰まったりすることはない。
【００１５】
図４には、第２の実施形態の遊技媒体供給装置を示す。この実施形態のものにおいて、撹拌部材３を公転、自転させるための基本構造は既記したものと特に変わるところはないが、撹拌部材３の構造が異なる。すなわち、撹拌部材３は、棒状の主部３２と、これに直交して延出する分枝３３とからなるものである。この分枝３３によって効果的に遊技媒体を撹拌することができる。さらに、分枝３３を底面１１の上方で側面１５の方向に長く伸ばせば、遊技媒体収集容器１の内部の全てを撹拌することができるので、ブリッジを完全に崩すことが可能となる。この撹拌部材３は、ゴム製、合成樹脂製のものとすることができるが、ゴムのように弾力を有するものを用いた場合には、撹拌部材３の先端のブレにより、効果的にブリッジを崩すことができる。
【図面の簡単な説明】
【００１６】
【図１】第１の実施形態である遊技媒体供給装置の構造を示す断面図である。
【図２】図１の遊技媒体供給装置の分解斜視図である。
【図３】図１の遊技媒体供給装置の斜視図である。
【図４】第２の実施形態である遊技媒体供給装置の構造を示す断面図である。
【図５】遊技機設置島の斜視図である。
【図６】従来の遊技媒体供給装置の構造を示す断面図である。
【符号の説明】
【００１７】
１  遊技媒体収集容器、３  撹拌部材、４  支持アーム、５  サンギア、６  プラネタリギア、１１  底面、１２  送出孔、１３  シュート、２１  モータ、２２  モータ軸、３１  回転軸、
【図１】
2009028382.tif 000003
【図２】
2009028382.tif 000004
【図３】
2009028382.tif 000005
【図４】
2009028382.tif 000006
【図５】
2009028382.tif 000007
【図６】
2009028382.tif 000008